(57)【要約】【課題】記録媒体の重合による体積収縮を高い分解能で測定・解析できるとともに、記録媒体の面方向の収縮や、記録媒体内の微小領域の歪みも高い分解能で測定・解析できる記録媒体変形測定装置を提供する。【解決手段】記録媒体収縮測定装置（記録媒体変形測定装置）１は、記録媒体（ホログラフィックメモリ記録媒体）Ｄの光重合による変形を測定するものであって、記録媒体Ｄに物体光を照射する物体光照射手段と、記録媒体Ｄに参照光を照射する参照光照射手段と、物体光及び参照光が照射されて記録媒体Ｄに記録された干渉縞に対して参照光が照射された際に生成される再生光と、この干渉縞に対して照射された物体光とを検出する受光素子が２次元状に配列されたＣＣＤ（２次元センサ）１４とを備えることを特徴とする。【選択図】図１
2007132872.tif 000002
【特許請求の範囲】
【請求項１】
ホログラフィックメモリ記録媒体の光重合による変形を測定する記録媒体変形測定装置であって、
前記ホログラフィックメモリ記録媒体に物体光を照射する物体光照射手段と、
前記ホログラフィックメモリ記録媒体に参照光を照射する参照光照射手段と、
前記物体光及び前記参照光が照射されて前記ホログラフィックメモリ記録媒体に記録された干渉縞に対して前記参照光が照射された際に生成される再生光と、前記干渉縞に対して照射された物体光とを検出する受光素子が２次元状に配列された２次元光センサと、
を備えることを特徴とする記録媒体変形測定装置。
【請求項２】
請求項１に記載の記録媒体変形測定装置から再生光及び物体光の画像データを入力し、当該画像データによって示される画像に基づいてホログラフィックメモリ記録媒体の光重合による変形量を解析する変形量解析装置であって、
前記画像に基づいて、前記再生光と前記物体光との前記ホログラフィックメモリ記録媒体からの出射角度の差を解析する角度変位解析手段と、
この角度変位解析手段によって解析された出射角度の差に基づいて、前記ホログラフィックメモリ記録媒体の変形量を算出する変形量算出手段と、
を備えることを特徴とする変形量解析装置。
【請求項３】
請求項１に記載の記録媒体変形測定装置から再生光及び物体光の画像データを入力し、当該画像データによって示される画像に基づいてホログラフィックメモリ記録媒体の光重合による変形量を解析する変形量解析装置であって、
前記画像から前記再生光と前記物体光との位相のずれを解析し、前記ホログラフィックメモリ記録媒体の変形の分布を示すデータとして、当該位相のずれの分布を示す画像データを生成する位相解析手段を備えることを特徴とする変形量解析装置。
【請求項４】
ホログラフィックメモリ記録媒体の光重合による変形を測定する記録媒体変形測定方法であって、
前記ホログラフィックメモリ記録媒体に前記物体光及び前記参照光を照射して干渉縞を記録する干渉縞記録ステップと、
この干渉縞記録ステップにおいて前記ホログラフィックメモリ記録媒体に照射された物体光及び参照光と同じ前記物体光及び前記参照光を、当該ホログラフィックメモリ記録媒体に照射する光照射ステップと、
この光照射ステップによって前記干渉縞に対して参照光が照射されて生成した再生光と前記物体光とを、光を検出する受光素子が２次元状に配列された２次元光センサによって撮像する光検出ステップと、
を含むことを特徴とする記録媒体変形測定方法。
【発明の詳細な説明】
【技術分野】
【０００１】
本発明は、ホログラフィックメモリ記録媒体（以下、単に記録媒体という）の光重合による体積収縮（変形）を測定して解析する記録媒体変形測定装置、変形量解析装置及び記録媒体変形測定方法に関する。
【背景技術】
【０００２】
ホログラム記録の際には、参照光と物体光との２つの光が照射される。デジタルホログラムでは、物体光として２次元データを液晶やその他の空間光変調素子で駆動して変調データとする。この変調データを集光レンズで集光し、フーリエ変換する。そして、この物体光と参照光との干渉縞を記録媒体に記録する。
【０００３】
この記録媒体を形成する物質として、フォトポリマが有望視されている。フォトポリマは、光の強度により重合（光重合）を起こし、屈折率分布を形成する。この屈折率分布が回折格子となって変調データが記録される。再生時には参照光がこの回折格子に入射し、回折されて再生光が生成される。この再生光の再生画像により２次元データが読み出される。
【０００４】
この記録媒体の実用化における問題点は、フォトポリマの重合時の体積収縮である。体積収縮を起こすと干渉縞の間隔が変化するため、再生画像の再生位置も変化する。記録媒体の開発においてこの体積収縮をいかに小さくするかが課題となっている。そして、記録媒体の開発の際には体積収縮が測定され、この測定方法は開示されている（特許文献１参照）。
【０００５】
ここで、図９及び図１０を参照して、従来の記録媒体Ｄの体積収縮の測定方法について説明する。図９は、従来の記録媒体の体積収縮の測定方法を説明するための説明図、（ａ）は、干渉縞の記録時の様子を模式的に示す模式図、（ｂ）は、体積収縮の測定時の様子を模式的に示す模式図である。図１０は、体積収縮前後の記録媒体と干渉縞とを模式的に示す模式図である。
【０００６】
図９（ａ）に示すように、まず、記録媒体Ｄに、所定の角度で単純平面波の物体光と参照光とを、図示しない集光レンズ等を経由して照射し、干渉縞を記録する。ここで、図１０に示すように、厚さがｄ（１＋σ）の記録媒体Ｄが体積収縮して厚さがｄになったとする。なお、図１０では、体積収縮前の記録媒体Ｄ及び干渉縞を点線で、体積収縮後を実線で示した。すると、点線で示した体積収縮前に比べて体積収縮後には干渉縞の傾きが変化する。
【０００７】
そして、記録後に残った感光剤を消去するため、インコヒーレントな光（図示せず）で感光する。その後、図９（ｂ）に示すように、記録媒体Ｄに参照光を照射する。このとき、図１０に示すように、記録時とは記録媒体Ｄに記録された干渉縞の傾きが変化しており、この記録媒体Ｄの傾きを変化させてパワーメータＰでスキャンすることで、体積収縮の前後の物体光と再生光との角度の差（角度変位）を求める。
【０００８】
この角度変位を複数の点について測定し、以下の式（１）〜（３）を用いて、記録媒体Ｄの厚み変化σを算出することができる（非特許文献１参照）。
【０００９】
【数１】
2007132872.tif 000003
【特許文献１】特開２００２−３２００１号公報（段落番号００３２〜００３６）
【非特許文献１】L. Dhar, et al, "Temperature-induced changes in photopolymer volume holograms", Applied Physics Letters,September 7, 1998, Volume 73, Issue 10, pp. 1337-1339
【発明の開示】
【発明が解決しようとする課題】
【００１０】
しかしながら、特許文献１に記載の方法では、角度変位を検出するために記録媒体の角度を変えてスキャンしなくてはならず、測定の分解能が記録媒体を回転させる回転ステージの回転角の分解能で決まってしまう。そのため、この方法では微小の厚み変化（厚さ方向の体積収縮）は検出できないという問題があった。また、記録媒体の面方向の体積収縮や、記録媒体内の微小部分の歪みは検出できず、これらの体積収縮の変化量を測定する方法が確立されていないという問題があった。
【００１１】
本発明は、前記従来技術の問題を解決するために成されたもので、記録媒体の重合による体積収縮を高い分解能で測定・解析できるとともに、記録媒体の面方向の収縮や、記録媒体内の微小領域の歪みも高い分解能で測定・解析できる記録媒体変形測定装置、変形量解析装置及び記録媒体変形測定方法を提供することを目的とする。
【課題を解決するための手段】
【００１２】
前記課題を解決するため、請求項１に記載の記録媒体変形測定装置は、ホログラフィックメモリ記録媒体の光重合による変形を測定する記録媒体変形測定装置であって、前記ホログラフィックメモリ記録媒体に物体光を照射する物体光照射手段と、前記ホログラフィックメモリ記録媒体に参照光を照射する参照光照射手段と、前記物体光及び前記参照光が照射されて前記ホログラフィックメモリ記録媒体に記録された干渉縞に対して前記参照光が照射された際に生成される再生光と、前記干渉縞に対して照射された物体光とを検出する受光素子が２次元状に配列された２次元光センサとを備える構成とした。
【００１３】
かかる構成によれば、記録媒体変形測定装置は、再生光と物体光とを同時に１つの２次元センサで撮像する。そして、記録媒体に変形が生じている場合には、この変形の大きさや向きに応じて再生光と物体光とにずれが生じる。これによって、記録媒体変形測定装置は、記録媒体の変形の向きと変形量とを示す、再生光と物体光との画像データを取得することができる。
【００１４】
また、請求項２に記載の変形量解析装置は、請求項１に記載の記録媒体変形測定装置から再生光及び物体光の画像データを入力し、当該画像データによって示される画像に基づいてホログラフィックメモリ記録媒体の光重合による変形量を解析する変形量解析装置であって、前記画像に基づいて、前記再生光と前記物体光との前記ホログラフィックメモリ記録媒体からの出射角度の差を解析する角度変位解析手段と、この角度変位解析手段によって解析された出射角度の差に基づいて、前記ホログラフィックメモリ記録媒体の変形量を算出する変形量算出手段とを備える構成とした。
【００１５】
これによって、変形量解析装置は、記録媒体の変形の大きさや向きに応じたずれの生じている再生光と物体光との画像データから、このずれの向きや大きさに基づいて変形の向きと変形量とを解析することができる。
【００１６】
また、請求項３に記載の変形量解析装置は、請求項１に記載の記録媒体変形測定装置から再生光及び物体光の画像データを入力し、当該画像データによって示される画像に基づいてホログラフィックメモリ記録媒体の光重合による変形量を解析する変形量解析装置であって、前記画像から前記再生光と前記物体光との位相のずれを解析し、前記ホログラフィックメモリ記録媒体の変形の分布を示すデータとして、当該位相のずれの分布を示す画像データを生成する位相解析手段を備える構成とした。
【００１７】
これによって、変形量解析装置は、記録媒体の変形の大きさや向きに応じたずれの生じている再生光と物体光との画像データから、この２つの光の位相のずれの分布を解析することができる。
【００１８】
また、請求項４に記載の記録媒体変形測定方法は、ホログラフィックメモリ記録媒体の光重合による変形を測定する記録媒体変形測定方法であって、前記ホログラフィックメモリ記録媒体に前記物体光及び前記参照光を照射して干渉縞を記録する干渉縞記録ステップと、この干渉縞記録ステップにおいて前記ホログラフィックメモリ記録媒体に照射された物体光及び参照光と同じ前記物体光及び前記参照光を、当該ホログラフィックメモリ記録媒体に照射する光照射ステップと、この光照射ステップによって前記干渉縞に対して参照光が照射されて生成した再生光と前記物体光とを、光を検出する受光素子が２次元状に配列された２次元光センサによって撮像する光検出ステップとを含むことを特徴とする。
【００１９】
この方法によれば、再生光と物体光とを同時に１つの２次元センサで撮像する。そして、記録媒体に変形が生じている場合には、この変形の大きさや向きに応じて再生光と物体光とにずれが生じる。これによって、記録媒体の変形の向きと変形量とを示す、再生光と物体光との画像データを取得することができる。
【発明の効果】
【００２０】
本発明に係る記録媒体変形測定装置、変形量解析装置及び記録媒体変形測定方法では、以下のような優れた効果を奏する。請求項１及び請求項４に記載の発明によれば、従来の記録媒体を回転させる方法のように、記録媒体を回転させる回転ステージの回転角の分解能に測定の分解能が依存することなく、高い分解能で、記録媒体の厚さ方向及び面方向の変形や局所的な変形を示す画像データを取得することができる。
【００２１】
請求項２に記載の発明によれば、従来の記録媒体を回転させる方法のように、記録媒体を回転させる回転ステージの回転角の分解能に測定の分解能が依存することなく、高い分解能で、記録媒体の変形の向きや変形量を解析することができる。
【００２２】
請求項３に記載の発明によれば、記録媒体の変形の分布を示す位相のずれの分布を解析することができる。そのため、記録媒体の干渉縞が記録された箇所において局所的な歪みを解析することができる。
【発明を実施するための最良の形態】
【００２３】
以下、本発明の実施の形態について図面を参照して説明する。まず、図１を参照して、本発明の実施の形態である記録媒体収縮測定装置１の構成について説明する。図１は、本発明の実施の形態である記録媒体収縮測定装置及び収縮解析装置の構成を模式的に示した模式図、（ａ）は、干渉縞の記録時の様子を模式的に示す模式図、（ｂ）は、再生光の再生時の様子を模式的に示す模式図である。
【００２４】
［記録媒体収縮測定装置の構成］
記録媒体収縮測定装置（記録媒体変形測定装置）１は、記録媒体Ｄに物体光と再生光とを照射して、記録媒体Ｄの重合による体積収縮を測定するものである。ここでは、透過型ホログラムの場合について説明する。更に、ここでは、レーザ光源（図示せず）から出射したコヒーレントなレーザビームをビームスプリッタ（図示せず）等によって２つのビームに分岐して、それぞれ物体光及び参照光とした。記録媒体収縮測定装置１は、レンズ１１、１２、１３と、ＣＣＤ１４とを備える。
【００２５】
なお、ここでは、レーザ光源としては、ＤＰＳＳ（半導体励起固体；Ｄｉｏｄｅ  Ｐｕｍｐｅｄ  Ｓｏｌｉｄ  Ｓｔａｔｅ）レーザや青紫色レーザ光源等の様々なものを用いることができる。また、ここでは、記録媒体収縮測定装置１は、変調されておらずデジタルデータを含まないビームを物体光として用い、参照光にも変調されていないビームを用いることとしたが、記録媒体収縮測定装置１が空間光変調素子を備え、変調されたビームを物体光あるいは参照光として用いることとしてもよい。ここで、本発明の記録媒体収縮測定装置１において、物体光と参照光との違いはデジタルデータを含むか否かではなく、干渉縞の記録後に記録媒体Ｄに照射されて記録媒体Ｄを透過あるいは反射した後にＣＣＤ１４（２次元光センサ）に入射する光を物体光とし、干渉縞の記録後に照射されて記録媒体Ｄの干渉縞によって回折してＣＣＤ１４に入射する再生光を生成する光を参照光とする。つまり、例えば、図１（ｂ）において、物体光の延長上ではなく参照光の延長上にＣＣＤ（図示せず）を配置して、記録媒体Ｄを透過した参照光と、記録媒体Ｄに物体光が照射されて生成された再生光（図示せず）とをＣＣＤが撮像することとし、図１の物体光及び参照光をそれぞれ参照光及び物体光とみなしてもよい。
【００２６】
また、ここで測定に供する記録媒体Ｄには、予めデジタルデータの記録されたものではなく、デジタルデータの記録されていないものを用いることとした。
【００２７】
レンズ１１は、物体光を集光して、記録媒体Ｄに照射するものである。また、レンズ１２は、参照光を集光して、記録媒体Ｄに照射するものである。更に、レンズ１３は、干渉縞が記録された記録媒体Ｄに参照光が照射されることで生成された再生光と、記録媒体Ｄを透過した物体光とを平行光にするものである。このレンズ１３を透過した光は、ＣＣＤ１４に入射する。このレンズ１１、１２、１３は、例えば、凸レンズやフーリエ変換レンズ等から構成される。
【００２８】
なお、特許請求の範囲に記載の物体光照射手段は、ここでは、レーザ光源（図示せず）、ビームスプリッタ（図示せず）及びレンズ１１に相当し、参照光照射手段は、レーザ光源（図示せず）、ビームスプリッタ（図示せず）及びレンズ１２に相当する。更に、例えば、記録媒体収縮測定装置１の外部にレーザ光源やビームスプリッタを備える場合には、物体光照射手段は、レンズ１１に相当し、参照光照射手段は、レンズ１２に相当する。
【００２９】
ＣＣＤ（２次元センサ）１４は、干渉縞が記録された記録媒体Ｄに参照光が照射されることで生成された再生光と、記録媒体Ｄを透過した物体光とを撮像するものである。ここで、記録媒体Ｄが干渉縞の記録時に体積収縮していない場合には、物体光と再生光とは完全に一致し、干渉縞は生成されない。一方、体積収縮している場合には、物体光と再生光とにずれが生じるとともに、その体積収縮に応じた干渉縞が生成される。このＣＣＤ１４には、複数の受光素子が互いに隣接して平面状（２次元状）に配列されている。ここで撮像された画像データは、外部に接続された収縮解析装置２に入力される。
【００３０】
以上によって、記録媒体収縮測定装置１は、記録媒体Ｄの重合による体積収縮を示す画像データを取得することができる。ここで取得された画像データによって示される再生光と物体光とのずれは、厚さ方向の体積収縮の大きさを示す。また、干渉縞は、厚さ方向の体積収縮の大きさだけでなく、面方向の体積収縮の大きさや、部分ごとに体積収縮が異なることで生じる局所的な歪みをも示すものとなる。
【００３１】
［記録媒体収縮測定装置の動作］
次に、記録媒体収縮測定装置１の動作について説明する。まず、レーザ光源（図示せず）から出射したコヒーレントなレーザビームをビームスプリッタ（図示せず）等によって２つのビーム（物体光及び参照光）に分岐する。
【００３２】
（干渉縞記録ステップ）
そして、物体光をレンズ１１によって集光して、記録媒体Ｄに照射するとともに、参照光をレンズ１２によって集光して、記録媒体Ｄに照射する。このとき、記録媒体Ｄにおいて物体光と参照光とが交差するように、物体光と参照光とを照射する。そうすると、記録媒体Ｄに物体光と参照光との干渉縞が記録される。
【００３３】
次いで、記録後に記録媒体Ｄに残った感光剤を消去するため、インコヒーレントな光（図示せず）を照射する。
【００３４】
（光照射ステップ）
その後、物体光をレンズ１１によって集光して、記録媒体Ｄに照射するとともに、参照光をレンズ１２によって集光して、記録媒体Ｄに照射する。そうすると、物体光の一部は記録媒体Ｄを透過し、また、参照光の一部は記録媒体Ｄに記録された干渉縞によって回折されて、再生光となって記録媒体Ｄから出射する。
【００３５】
（光検出ステップ）
そして、ＣＣＤ１４によって、物体光と再生光とを撮像する。ここで撮像される物体光と再生光のずれは記録媒体Ｄの体積収縮に応じて生じるため、この物体光と再生光との干渉縞は、記録媒体Ｄの体積収縮の大きさや収縮方向等を示す。なお、ここでは、透過型ホログラムの場合について説明したが、本発明の記録媒体収縮測定装置は、反射型ホログラムに対して適用してもよく、このとき、記録媒体Ｄで反射した物体光（図示せず）と再生光（図示せず）の光路上にＣＣＤ（図示せず）が設置される。
【００３６】
［収縮解析装置の構成（第１の実施の形態）］
次に、図２及び図３を参照（適宜図１参照）して、本発明の第１の実施の形態である収縮解析装置２の構成について説明する。図２は、本発明の第１の実施の形態である収縮解析装置の構成を示したブロック図である。図３は、媒体収縮が大きい場合の画像データの例と、物体光と再生光の配置とを模式的に示す模式図、（ａ）は、媒体収縮が大きい場合の画像データの例を模式的に示す模式図、（ｂ）は、（ａ）に示す図において物体光と再生光の配置とを模式的に示す模式図である。
【００３７】
収縮解析装置（変形量解析装置）２は、記録媒体収縮測定装置１によって撮影された画像データに基づいて、記録媒体Ｄの体積収縮を解析するものである。ここでは、収縮解析装置２は、記録媒体Ｄの体積収縮が、画像データにおいて再生光と参照光とのずれの大きさを検出できる程度に大きい場合に、このずれの方向と大きさとに基づいて、記録媒体Ｄの厚み変化を算出することとした。収縮解析装置２は、角度変位解析部２１と、収縮算出部２２とを備える。
【００３８】
角度変位解析部（角度変位解析手段）２１は、記録媒体収縮測定装置１によって撮影された干渉縞の画像データから、物体光と再生光との記録媒体Ｄからの出射角度の差（角度変位）を算出するものである。以下、角度変位解析部２１が角度変位を算出する方法について説明する。
【００３９】
図３（ａ）に示すように、物体光と再生光とがずれて撮像された画像データが角度変位解析部２１に入力されたとする。そうすると、角度変位解析部２１は、物体光の位置に対して再生光の位置が、どの方向にどれだけずれたかを検出する。つまり、図３（ｂ）において、物体光と再生光との位置のずれｄを検出する。そして、角度変位解析部２１は、検出されたずれｄに基づいて、物体光と再生光との記録媒体Ｄからの出射角度の差（角度変位）を求める。ここで算出された角度変位は、収縮算出部２２に出力される。
【００４０】
収縮算出部（変形量算出手段）２２は、角度変位解析部２１から入力された角度変位に基づいて、記録媒体Ｄの厚み変化を算出するものである。この収縮算出部２２は、角度変位に基づいて、前記の式（１）〜（３）を用いて、記録媒体Ｄの厚み変化σを算出することができる。ここで解析された厚み変化の情報は外部に出力される。
【００４１】
以上のようにして、収縮解析装置２は、従来の記録媒体Ｄを回転させる方法のように、記録媒体Ｄを回転させる回転ステージの回転角の分解能に測定の分解能が依存することなく、高い分解能で記録媒体Ｄの厚み変化を算出することができる。
【００４２】
［収縮解析装置の構成（第２の実施の形態）］
次に、図４から図６を参照（適宜図１参照）して、本発明の第２の実施の形態である収縮解析装置２Ａの構成について説明する。図４は、本発明の第２の実施の形態である収縮解析装置の構成を示したブロック図である。図５は、媒体収縮が小さい場合の画像データの例と、物体光と再生光の配置とを模式的に示す模式図、（ａ）は、媒体収縮が小さい場合の画像データの例を模式的に示す模式図、（ｂ）は、（ａ）に示す図において物体光と再生光の配置とを模式的に示す模式図である。図６は、媒体収縮による記録媒体に記録された干渉縞の変化を説明するための説明図、（ａ）は、記録された干渉縞を模式的に示す模式図、（ｂ）は、厚み方向に体積収縮した場合の干渉縞を模式的に示す模式図、（ｃ）は、厚み方向と面方向に体積収縮した場合の干渉縞を模式的に示す模式図である。
【００４３】
収縮解析装置（変形量解析装置）２Ａは、記録媒体収縮測定装置１によって撮影された干渉縞の画像データに基づいて、記録媒体Ｄの体積収縮を解析するものである。ここでは、収縮解析装置２Ａは、記録媒体収縮測定装置１によって撮影された画像データにおいて、物体光及び再生光のずれを示す、この２つの光の干渉縞の間隔と向きとに基づいて、記録媒体Ｄの厚み変化を算出することとした。収縮解析装置２Ａは、角度変位解析部２１Ａと、収縮算出部２２Ａとを備える。
【００４４】
角度変位解析部（角度変位解析手段）２１Ａは、記録媒体収縮測定装置１によって撮影された干渉縞の画像データから、角度変位を算出するものである。以下、角度変位解析部２１Ａが角度変位を算出する方法について説明する。なお、ここでは、体積収縮が小さく、再生光と参照光との位置がほぼ一致する場合を例に説明するが、図３に示すように、記録媒体Ｄの体積収縮が大きく、再生光と参照光とが大きくずれる場合にも適用することができる。
【００４５】
図５（ａ）に示すように、物体光と再生光とがほぼ重なって撮像された画像データが角度変位解析部２１Ａに入力されたとする。このとき、図５（ｂ）に示すように、物体光と再生光との位置はほぼ一致し、画像データにおいて図５（ａ）に示すように干渉縞Ｆが撮像されている。
【００４６】
ここで、ホログラム面上での物体光と参照光の複素振幅をそれぞれＡｏｅｘｐ（ｉφｏ）、Ａｒｅｘｐ（ｉφｒ）とすると、両者の干渉強度Ｉは以下の式（４）で表される。
Ｉ＝｜Ａｏｅｘｐ（ｉφｏ）＋Ａｒｅｘｐ（ｉφｒ）｜２
＝Ａｏ２＋Ａｒ２＋ＡｏＡｒｅｘｐ［ｉ（φｏ−φｒ）］＋ＡｏＡｒｅｘｐ［−ｉ（φｏ−φｒ）］      …（４）
【００４７】
そして、干渉縞Ｆの記録後に感光剤の消去をした後の振幅透過率Ｔは、Ｔ０、ηを定数とすると、以下の式（５）で表される。
Ｔ＝Ｔ０−ηＩ      …（５）
【００４８】
そして、再生光の複素振幅ＵＲは、以下の式（６）で表される。
ＵＲ＝ＴＡｒｅｘｐ（ｉφｒ）
＝［Ｔ０−η（Ａｏ２−Ａｒ２）］Ａｒｅｘｐ（ｉφｒ）−ηＡｒ２Ａｏｅｘｐ（ｉφｏ）−ηＡｒ２Ａｏｅｘｐ［ｉ（２φｒ−φｏ）］      …（６）
【００４９】
式（６）の右辺の第２項は、物体光と同じ形をしているので、ホログラムから先では物体光とまったく同じように空間を伝搬する。その他の項は、ホログラムで曲げられず直進する波と、本来の再生光に対して波面が反転した波を示している。つまり、理想的には再生光は物体光と絶対強度が異なる同じ形の波となる。そのため、理想的な再生光と物体光では干渉が起こらず、干渉縞Ｆは観測されない。
【００５０】
しかし、記録媒体Ｄが収縮して再生光が変化すると、図５（ａ）に示すように干渉縞Ｆが生じる。そして、干渉縞間隔をΛｎ、縞回転角をα、再生光の水平方向への角度変位をΔθＢｒａｇｇｈ、再生光の垂直方向への角度変位をΔθＢｒａｇｇｖとすると以下の式（７）、（８）、（９）が成り立つ。
【００５１】
【数２】
2007132872.tif 000004
【００５２】
そのため、角度変位解析部２１Ａは、記録媒体収縮測定装置１によって撮影された干渉縞Ｆの画像データに基づいて干渉縞間隔Λｎと縞回転角αを解析し、式（７）、（８）、（９）に代入することで、角度変位ΔθＢｒａｇｇｈ、ΔθＢｒａｇｇｖを算出することができる。なお、図９に示すような従来の測定方法によって算出される角度変位は、水平方向への角度変位ΔθＢｒａｇｇｈに相当する。
【００５３】
収縮算出部（変形量算出手段）２２Ａは、角度変位解析部２１Ａから入力された角度変位ΔθＢｒａｇｇｈ、ΔθＢｒａｇｇｖに基づいて、記録媒体Ｄの厚み変化及び面方向の体積収縮を算出するものである。ここで解析された厚み変化及び面方向の体積収縮の情報は外部に出力される。
【００５４】
ここで、収縮算出部２２が、厚み変化及び面方向の体積収縮を算出する方法について説明する。まず、記録媒体Ｄが厚さ方向のみに体積収縮した場合には、図６（ａ）に示す干渉縞Ｆ０は、図６（ｂ）に示すように、フォトポリマを挟む基板Ｂ、Ｂの幅が狭まることで厚さ方向につぶされたような干渉縞Ｆ１となる。なお、図６では干渉縞を模式的に板状の形状で示しており、ここでは、各々の板の表面は、記録された干渉縞において、例えば、屈折率の高い点を通る平面を示すこととする。そして、記録媒体Ｄが厚さ方向のみに体積収縮した場合には、この干渉縞Ｆ１の表面の法線（図示せず）は、収縮前の干渉縞Ｆ０の表面の法線（図示せず）を含むある平面（図示せず）内に含まれ、かつ、この法線との傾きの差がΔθＢｒａｇｇｈとなる。そのため、収縮算出部２２は、前記の式（１）〜（３）を用い、角度変位ΔθＢｒａｇｇｈを式（３）のΔθＢｒａｇｇに代入して、記録媒体Ｄの厚み変化を算出することができる。
【００５５】
更に、記録媒体Ｄが厚さ方向と面方向との体積収縮した場合には、図６（ａ）に示す干渉縞Ｆ０は、フォトポリマを挟む基板Ｂ、Ｂの幅が狭まることで、図６（ｂ）に示すように厚さ方向につぶされるとともに、フォトポリマを挟む基板Ｂ、Ｂが面方向にずれることで、この干渉縞Ｆ１に比べて、面方向のずれに応じて更に向きが変化した干渉縞Ｆ２となる。そして、厚さ方向のみに体積収縮した場合では、干渉縞Ｆ１の表面の法線は、収縮前の干渉縞Ｆ０の表面の法線を含むある平面内に含まれるが、面方向にも体積収縮した場合には、干渉縞Ｆ２の表面の法線（図示せず）は、当該平面以外の方向を向く。そして、干渉縞Ｆ１の表面の法線と干渉縞Ｆ２の表面の法線との傾きの差がΔθＢｒａｇｇｖとなる
【００５６】
そのため、干渉縞Ｆ２の全体の長さ（記録媒体Ｄに照射された物体光の直径）をｄＯ［ｍｍ］とすると、収縮算出部２２は、面方向（図６（ｂ）では奥行き方向）の体積収縮の長さΔｄｖを、以下の式（１０）によって算出することができる。
【００５７】
【数３】
2007132872.tif 000005
【００５８】
なお、図６（ｂ）において、奥行き方向に幅ｄｖで干渉縞Ｆ２を記録した場合、奥行き方向の体積収縮率ｒｖ［％］は、以下の式（１１）によって算出できる。
【００５９】
【数４】
2007132872.tif 000006
【００６０】
そして、実際には、重合によって記録媒体Ｄは、厚さ方向と面方向とに体積収縮していることが実験結果から分かった。ここで、従来の測定方法では、厚み変化しか測定できなかった。更に、従来の測定方法では、測定の分解能が記録媒体Ｄを回転させる回転ステージの回転角の分解能（角度変位が０．００２°程度）となっており、例えば、回転ステージからパワーメータまでの距離を５０ｃｍとすると、分解能は１７μｍであった。一方、収縮解析装置２Ａは、波長オーダー（ｎｍオーダー）の極めて高い分解能で記録媒体Ｄの厚み方向及び面方向の双方の体積収縮を算出することができる。
【００６１】
［収縮解析装置の構成（第３の実施の形態）］
次に、図７及び図８を参照（適宜図１参照）して、本発明の第３の実施の形態である収縮解析装置２Ｂの構成について説明する。図７は、本発明の第３の実施の形態である収縮解析装置の構成を示したブロック図である。図８は、位相情報解析部が画像データから再生光の位相変化を解析する方法を説明するための説明図である。
【００６２】
収縮解析装置（変形量解析装置）２Ｂは、記録媒体収縮測定装置１によって撮影された干渉縞の画像データに基づいて、記録媒体Ｄの歪みを解析するものである。ここでは、収縮解析装置２Ｂは、ＦＦＴ（Ｆａｓｔ  Ｆｏｕｒｉｅｒ  Ｔｒａｎｓｆｏｒｍ；高速フーリエ変換）法を用いて記録媒体収縮測定装置１によって撮影された画像データに対して２次元フーリエ変換（２次元ＦＦＴ）を行うことで再生光の位相変化（再生光と物体光との位相のずれ）を求め、記録媒体Ｄの歪みを解析することとした。収縮解析装置２Ｂは、位相情報解析部２３Ｂを備える。
【００６３】
位相情報解析部（位相解析手段）２３Ｂは、記録媒体収縮測定装置１によって撮影された画像データに基づいて、ＦＦＴ法によって再生光の位相変化を解析するものである。以下、位相情報解析部２３Ｂが画像データから再生光の位相変化を解析する方法を説明する。
【００６４】
図８に示すように、位相情報解析部２３Ｂは、図８（ａ）に示す画像データによって示される画像に２次元ＦＦＴを行い、変換された画像［図８（ｂ）］の中心にＤＣ（ｄｉｒｅｃｔ  ｃｕｒｒｅｎｔ；直流）成分がくるようにこの画像をシフトする。更に、位相情報解析部２３Ｂは、シフトされた画像［図８（ｃ）］から、干渉縞の主成分である１次ピーク付近を取り出して、重心計算を行い中心座標を割り出す。そして、位相情報解析部２３Ｂは、割り出された部分を取り出し［図８（ｅ）］、座標中心にシフトする。
【００６５】
続いて、位相情報解析部２３Ｂは、図８（ｆ）に示す中心にすえた光点をシフトして４隅に配置し［図８（ｇ）］、この画像に逆ＦＦＴを行い、振幅と位相とを解析する。ここで解析された位相情報を示す画像［図８（ｉ）］が再生光の波面を示す。記録媒体Ｄに歪みがあると波面が局所的に変動するため、この画像から記録媒体Ｄの局所的な体積収縮が分かる。ここで解析された位相情報を示す画像のデータ（位相分布画像データ）は外部に出力される。
【００６６】
なお、振幅の画像からは記録媒体Ｄのレーザ光の吸収の分布を示す。ここで、例えば、物体光にガウシアンビームを用いた場合には、ＣＣＤ１４によって撮像された光の振幅は理想的には２つのガウシアンビームを重ね合わせた分布となる。しかし、記録媒体Ｄの光の吸収の度合いが局所的に異なる場合には、振幅画像によって示される振幅の分布はこの吸収の度合いに応じて、２つのガウシアンビームを重ね合わせた分布とは局所的に異なる。
【００６７】
以上のようにして収縮解析装置２Ｂは、ＦＦＴ法を用いて記録媒体Ｄの局所的な歪みを解析することできるが、本発明の収縮解析装置２Ｂは、縞走査法や、シャックハルトマンセンサ法等の様々な方法を用いて記録媒体Ｄの局所的な歪みを波長オーダーで解析することできる。また、物体光や参照光として、ガウシアンビームのような照射面において強度分布の一様でないレーザ光を用いた場合に、当該レーザ光が照射された領域において記録媒体Ｄの歪みの大きさの分布も一様でなくなることが想定できるが、本発明の収縮解析装置２Ｂによれば、このような歪みの分布についても解析することが可能になる。
【００６８】
なお、本発明の収縮解析装置は、図２に示す収縮解析装置２の角度変位解析部２１と、図４に示す収縮解析装置２Ａの角度変位解析部２１Ａと、角度変位解析部２１及び角度変位解析部２１Ａによって解析された角度変位に基づいて記録媒体Ｄの厚み変化及び面方向の体積収縮を算出する収縮算出部（図示せず）とを１つの装置内に備えることとしてもよい。ここで、この収縮算出部は、図４に示す収縮解析装置２Ａの収縮算出部２２Ａと同じ機能を有し、角度変位解析部２１によって解析された角度変位、又は、角度変位解析部２１Ａによって解析された角度変位ΔθＢｒａｇｇｈに基づいて厚さ方向の体積収縮を算出することができるとともに、角度変位解析部２１Ａによって解析された角度変位ΔθＢｒａｇｇｖに基づいて面方向の体積収縮を算出することができる。
【００６９】
このように収縮解析装置を構成することで、収縮解析装置は、角度変位解析部２１によって角度変位を解析した後に収縮算出部によって体積収縮を算出して、体積収縮が大きい場合において簡易的に体積収縮を求めることができる。また、体積収縮が小さい場合や、高い精度で体積収縮を求める場合や、面方向の体積収縮を求める場合には、収縮解析装置は、角度変位解析部２１Ａによって角度変位を解析した後に収縮算出部によって体積収縮を算出することができる。ここで、体積収縮が大きい場合とは、２次元センサとして画素がα［μｍ］のピッチのＣＣＤ１４（図１参照）等を使用し、記録媒体Ｄから２次元センサまでの距離がＬ［ｍ］であるとすると、再生光と物体光とのずれｄ（図３参照）がα［μｍ］より大きい、つまり、角度変位がａｒｃｔａｎ（α×１０−６／Ｌ）より大きい場合が挙げられる。この場合、体積変位の解析の分解能はαで決まる。なお、この収縮解析装置は、再生光と物体光とのずれｄの大きさに基づいて、角度変位解析部２１及び角度変位解析部２１Ａのどちらで角度変位を解析するかを判定することとしてもよいし、ユーザによって外部から指令を入力されることで、角度変位を解析する角度変位解析部（２１又は２１Ａ）を決定することとしてもよい。
【００７０】
更に、本発明の収縮解析装置は、図２に示す収縮解析装置２の角度変位解析部２１と、図４に示す収縮解析装置２Ａの角度変位解析部２１Ａと、角度変位解析部２１及び角度変位解析部２１Ａによって解析された角度変位に基づいて体積収縮を算出する収縮算出部（図示せず）と、図７に示す収縮解析装置２Ｂの位相情報解析部２３Ｂとを１つの装置内に備えることとしてもよい。このように収縮解析装置を構成することで、収縮解析装置は、角度変位解析部２１、角度変位解析部２１Ａ及び収縮算出部によって厚さ方向及び面方向の体積収縮を解析することができるとともに、位相情報解析部２３Ｂによって位相分布画像データを生成することができる。
【００７１】
また、収縮解析装置２、２Ａ、２Ｂは、コンピュータにおいて各手段を各機能プログラムとして実現することも可能であり、各機能プログラムを結合して、収縮解析プログラムとして動作させることも可能である。
【図面の簡単な説明】
【００７２】
【図１】本発明の実施の形態である記録媒体収縮測定装置及び収縮解析装置の構成を模式的に示した模式図、（ａ）は、干渉縞の記録時の様子を模式的に示す模式図、（ｂ）は、再生光の再生時の様子を模式的に示す模式図である。
【図２】本発明の第１の実施の形態である収縮解析装置の構成を示したブロック図である。
【図３】本発明の実施の形態である記録媒体収縮測定装置によって撮像された、媒体収縮が大きい場合の画像データの例と、物体光と再生光の配置とを模式的に示す模式図、（ａ）は、媒体収縮が大きい場合の画像データの例を模式的に示す模式図、（ｂ）は、（ａ）に示す図において物体光と再生光の配置とを模式的に示す模式図である。
【図４】本発明の第２の実施の形態である収縮解析装置の構成を示したブロック図である。
【図５】本発明の実施の形態である記録媒体収縮測定装置によって撮像された、媒体収縮が小さい場合の画像データの例と、物体光と再生光の配置とを模式的に示す模式図、（ａ）は、媒体収縮が小さい場合の画像データの例を模式的に示す模式図、（ｂ）は、（ａ）に示す図において物体光と再生光の配置とを模式的に示す模式図である。
【図６】媒体収縮による記録媒体に記録された干渉縞の変化を説明するための説明図、（ａ）は、記録された干渉縞を模式的に示す模式図、（ｂ）は、厚み方向に体積収縮した場合の干渉縞を模式的に示す模式図、（ｃ）は、厚み方向と面方向に体積収縮した場合の干渉縞を模式的に示す模式図である。
【図７】本発明の第３の実施の形態である収縮解析装置の構成を示したブロック図である。
【図８】本発明の第３の実施の形態である収縮解析装置の位相情報解析部が、画像データから再生光の位相変化を解析する方法を説明するための説明図である。
【図９】従来の記録媒体の体積収縮の測定方法を説明するための説明図、（ａ）は、干渉縞の記録時の様子を模式的に示す模式図、（ｂ）は、再生光の再生時の様子を模式的に示す模式図である
【図１０】体積収縮前後の記録媒体と干渉縞とを模式的に示す模式図である。
【符号の説明】
【００７３】
１      記録媒体収縮測定装置（記録媒体変形測定装置）
１１、１２、１３  レンズ
１４    ＣＣＤ（２次元センサ）
２、２Ａ、２Ｂ  収縮解析装置（変形量解析装置）
２１、２１Ａ  角度変位解析部（角度変位解析手段）
２２、２２Ａ  収縮算出部（変形量算出手段）
２３Ｂ  位相情報解析部（位相解析手段）
Ｄ      記録媒体（ホログラフィックメモリ記録媒体）
【図１】
2007132872.tif 000007
【図２】
2007132872.tif 000008
【図３】
2007132872.tif 000009
【図４】
2007132872.tif 000010
【図５】
2007132872.tif 000011
【図６】
2007132872.tif 000012
【図７】
2007132872.tif 000013
【図８】
2007132872.tif 000014
【図９】
2007132872.tif 000015
【図１０】
2007132872.tif 000016